(57)【要約】      （修正有）【課題】ＬＥＤ又はＥＬ発光体の発光を効果的に拡散することができ、しかも安全性の高い発光調節部材を提供する。【解決手段】ＬＥＤ又はＥＬ発光体の発光を覆うように配設される発光調節部材であって、可撓性を有する透明樹脂又はゴムからなる基体の内部に前記発光体の発光を拡散させる多数の拡散用粒子が分散されてなることを特徴とするＬＥＤ又はＥＬ発光体の発光調節部材。本発光調節部材は、ＬＥＤ又はＥＬ発光体の発光を基体内部の拡散用粒子により効果的に拡散させる。また、基体がシリコーンゴム等の可撓性を有するものであり、衝撃による破損も生じ難く、安全性も高い。【選択図】図１
0003164629.tif 000002
【実用新案登録請求の範囲】
【請求項１】
ＬＥＤ又はＥＬ発光体の発光を覆うように配設される発光調節部材であって、可撓性を有する透明樹脂又はゴムからなる基体の内部に前記発光体の発光を拡散させる多数の拡散用粒子が分散されてなることを特徴とするＬＥＤ又はＥＬ発光体の発光調節部材。
【請求項２】
ＬＥＤ発光体が一列もしくは複数列に又はランダムに配置された複数個のＬＥＤランプであり、基体がＬＥＤランプに当接しもしくはこれと離間して配設されるシート状又は板状に形成された請求項１記載の発光調節部材。
【請求項３】
ＬＥＤ発光体が１個、又は一列もしくは複数列に又はランダムに配置された複数個のＬＥＤランプであり、基体がＬＥＤランプを着脱可能に嵌合する凹部を有するものである請求項１記載の発光調節部材。
【請求項４】
ＬＥＤ発光体が一列もしくは複数列に配置された複数個のＬＥＤランプであり、基体が各列のＬＥＤランプを包囲する溝部を有する請求項１記載の発光調節部材。
【請求項５】
基体が透明シリコーンゴムにより形成された請求項１〜４のいずれか１項記載の発光調節部材。
【請求項６】
拡散用粒子が基体の屈折率と異なる屈折率を持つ有機樹脂又はゴム粒子である請求項１〜５のいずれか１項記載の発光調節部材。
【請求項７】
拡散用粒子がシリコーン樹脂又はゴム粒子である請求項６記載の発光調節部材。
【考案の詳細な説明】
【技術分野】
【０００１】
本考案は、ＬＥＤ又はＥＬ発光体の発光を拡散させる発光調節部材に関する。
【背景技術】
【０００２】
従来より、各種照明器具から発する光を拡散するため、種々の光拡散体が提案され、特に最近においては、ＬＥＤを用いた照明器具の普及から、そのための光拡散体も提案されている（特許文献１〜４：特開２００７−２６４３４３号公報、国際公開第２００７／１３２８１５号パンフレット、特開２００９−８９９１号公報、特開２０１０−４９８３０号公報参照）。
【０００３】
しかし、従来、この種の光拡散体を得るために用いる光拡散性樹脂組成物としては、透明性の高い（メタ）アクリル系樹脂、ポリカーボネート系樹脂、ポリエステル系樹脂、ポリウレタン系樹脂等の熱可塑性バインダー樹脂やエポキシ樹脂、ユリア樹脂、シリコーン樹脂、フッ素樹脂等に、炭酸カルシウム、硫酸バリウム、水酸化アルミニウム、二酸化チタン、ガラス等の無機系微粒子を添加、分散した樹脂が用いられていたが、その硬化物は全光線透過率が大きく低下してしまうという問題点があった。
【０００４】
また、全光線透過率を損なわずに高い光拡散性を得る光拡散材として、架橋ポリメチルメタクリレート、架橋ポリスチレン、架橋メチルメタクリレート・スチレンコポリマー、シリコーン樹脂等の有機系樹脂粉体が提案されている（特許文献５〜１３：特開平１−１７２８０１号公報、特開２００５−２４７９９９号公報、特開２００５−２９８７１０号公報、特開２００５−３２０３８０号公報、特開２００６−３３９５８１号公報、特開２００６−３７００８号公報、特開２００６−８４９２７号公報、特開２００８−１９２８８０号公報、特開２００９−１０３８９２号公報参照）。
【０００５】
しかしながら、従来の光拡散性樹脂のバインダー樹脂は硬質の熱可塑性樹脂であり、柔らかいゴム質のバインダー樹脂を用いたものは開示されていない。照明器具やディスプレイに硬質樹脂からなる光拡散性樹脂成形物を適用した場合、衝撃による破損で危害を及ぼしてしまう可能性を否定できない。
【先行技術文献】
【特許文献】
【０００６】
【特許文献１】特開２００７−２６４３４３号公報
【特許文献２】国際公開第２００７／１３２８１５号パンフレット
【特許文献３】特開２００９−８９９１号公報
【特許文献４】特開２０１０−４９８３０号公報
【特許文献５】特開平１−１７２８０１号公報
【特許文献６】特開２００５−２４７９９９号公報
【特許文献７】特開２００５−２９８７１０号公報
【特許文献８】特開２００５−３２０３８０号公報
【特許文献９】特開２００６−３３９５８１号公報
【特許文献１０】特開２００６−３７００８号公報
【特許文献１１】特開２００６−８４９２７号公報
【特許文献１２】特開２００８−１９２８８０号公報
【特許文献１３】特開２００９−１０３８９２号公報
【考案の概要】
【考案が解決しようとする課題】
【０００７】
本考案は上記事情に鑑みなされたもので、ＬＥＤ又はＥＬ発光体の発光を効果的に拡散することができ、しかも安全性の高い発光調節部材を提供することを目的とする。
【課題を解決するための手段】
【０００８】
本考案は、上記目的を達成するため、下記発光調節部材を提供する。
請求項１：
ＬＥＤ又はＥＬ発光体の発光を覆うように配設される発光調節部材であって、可撓性を有する透明樹脂又はゴムからなる基体の内部に前記発光体の発光を拡散させる多数の拡散用粒子が分散されてなることを特徴とするＬＥＤ又はＥＬ発光体の発光調節部材。
請求項２：
ＬＥＤ発光体が一列もしくは複数列に又はランダムに配置された複数個のＬＥＤランプであり、基体がＬＥＤランプに当接しもしくはこれと離間して配設されるシート状又は板状に形成された請求項１記載の発光調節部材。
請求項３：
ＬＥＤ発光体が１個、又は一列もしくは複数列に又はランダムに配置された複数個のＬＥＤランプであり、基体がＬＥＤランプを着脱可能に嵌合する凹部を有するものである請求項１記載の発光調節部材。
請求項４：
ＬＥＤ発光体が一列もしくは複数列に配置された複数個のＬＥＤランプであり、基体が各列のＬＥＤランプを包囲する溝部を有する請求項１記載の発光調節部材。
請求項５：
基体が透明シリコーンゴムにより形成された請求項１〜４のいずれか１項記載の発光調節部材。
請求項６：
拡散用粒子が基体の屈折率と異なる屈折率を持つ有機樹脂又はゴム粒子である請求項１〜５のいずれか１項記載の発光調節部材。
請求項７：
拡散用粒子がシリコーン樹脂又はゴム粒子である請求項６記載の発光調節部材。
【考案の効果】
【０００９】
本考案の発光調節部材は、ＬＥＤ又はＥＬ発光体の発光を基体内部の拡散用粒子により効果的に拡散させる。また、基体がシリコーンゴム等の可撓性を有するものであり、衝撃による破損も生じ難く、安全性も高いものである。
【図面の簡単な説明】
【００１０】
【図１】ＬＥＤバックライトの一例を示す斜視図である。
【図２】ＬＥＤバックライトの他の例を示す斜視図である。
【図３】ＬＥＤバックライトの別の例を示す斜視図である。
【図４】ＬＥＤバックライトの更に別の例を示す斜視図である。
【図５】ＬＥＤライトの一例を示し、（Ａ）は斜視図、（Ｂ）は（Ａ）のＡ−Ａ線に沿った断面図である。
【図６】ＬＥＤライトの他の例を示し、発光調節部材を断面とした概略図である。
【図７】ＬＥＤライトの別の例を示し、発光調節部材を断面とした概略図である。
【図８】ＬＥＤライトの更に別の例を示し、発光調節部材を断面とした概略図である。
【図９】ＬＥＤライトの更に別の例を示し、発光調節部材を断面とした概略図である。
【図１０】ＬＥＤ集魚灯の一例を示す概略断面図である。
【図１１】（Ａ）〜（Ｄ）はそれぞれ各種ＬＥＤ光源形状を示す斜視図である。
【図１２】（Ａ），（Ｂ）はそれぞれ図１１（Ａ）〜（Ｃ）のＬＥＤ光源形状に対応して配設される発光調節部材を断面とした概略図であり、（Ｃ），（Ｄ）は図１１（Ｄ）のＬＥＤ光源形状に対応して配設される発光調節部材を断面とした概略図で、（Ｄ）は（Ｃ）のＩ−Ｉ線に沿った断面図である。
【図１３】蛍光灯タイプのＬＥＤ照明灯の一例を示し、（Ａ）は照明灯本体の概略斜視図、（Ｂ）はこれに用いる発光調節部材の一例の概略斜視図、（Ｃ）は発光調節部材の他の例の概略斜視図で、（Ｄ）は（Ｃ）のＩＩ−ＩＩ線に沿った断面図である。
【図１４】蛍光灯タイプのＬＥＤ照明灯の他の例を示し、（Ａ）は照明灯本体の概略斜視図、（Ｂ）はこれに用いる発光調節部材の概略平面図、（Ｃ）は（Ｂ）のＩＩＩ−ＩＩＩ線に沿った断面図である。
【図１５】ダウンライトの一例を示し、（Ａ）はライト本体で、（ｉ）は斜視図、（ｉｉ）は正面図であり、（Ｂ）〜（Ｄ）はそれぞれライト本体に配設する発光調節部材で、（ｉ）は斜視図、（ｉｉ）は断面図である。
【図１６】ＬＥＤ看板の一例を示し、（Ａ）〜（Ｄ）はそれぞれ発光調節部材を断面とした概略図、（Ｅ）はＬＥＤ看板の一例を示す斜視図である。
【図１７】屋内大型ＬＥＤ照明の一例を示し、（Ａ）は照明体の斜視図、（Ｂ）（ｉ）は発光調節部材の一例を示す斜視図、（ｉｉ）は断面図、（Ｃ）（ｉ）は発光調節部材の他の例を示す斜視図、（ｉｉ）は断面図、（Ｄ）〜（Ｆ）はそれぞれ発光調節部材の別の例を示す斜視図である。
【図１８】埋設型ＬＥＤ照明灯の一例を示し、（Ａ）は概略断面図、（Ｂ），（Ｃ）はそれぞれ発光調節部材の例を示す断面図である。
【図１９】ＬＥＤ警告灯の一例を示し、（Ａ）（ｉ）は警告灯本体の斜視図、（ｉｉ）はその端面図、（Ｂ），（Ｃ）はそれぞれ発光調節部材の一例を示し、（ｉ）は斜視図、（ｉｉ）は側面図、（Ｄ），（Ｅ）はそれぞれ発光調節部材の他の例を示し、（ｉ）は断面図、（ｉｉ）は平面図である。
【図２０】ＬＥＤ懐中電灯の一例を示し、（Ａ）（ｉ）は電灯本体の側面図、（ｉｉ）は正面図、（Ｂ），（Ｃ）はそれぞれ発光調節部材の一例を示し、（ｉ）は断面図、（ｉｉ）は平面図、（Ｄ）はそれぞれ発光調節部材の他の例を示す断面図である。
【図２１】横断歩道信号の一例を示し、（Ａ）はその正面図、（Ｂ）はその内部に配設される照明体の斜視図、（Ｃ）〜（Ｅ）はそれぞれ発光調節部材の一例の斜視図、（Ｆ），（Ｇ）は（ｉ）がそれぞれ発光調節部材の他の例の斜視図、（ｉｉ）は断面図である。
【図２２】ＥＬ発光シート上に発光調節部材を積層した状態の斜視図である。
【考案を実施するための形態】
【００１１】
本考案に係る発光調節部材は、可撓性の透明樹脂又はゴム基体の内部にＬＥＤ又はＥＬ発光体の発光を拡散させる多数の拡散用粒子が分散されたものであって、ＬＥＤ又はＥＬ発光体の発光を覆うように配設されるものである。
【００１２】
ここで、該発光調節部材の基体は樹脂又はゴムであり、樹脂又はゴムとしては可撓性を有し、透明のものであればいずれのものでもよいが、シリコーンゴムが耐光性、絶縁性、耐候性等の点で好適に用いられる。
【００１３】
また、この樹脂又はゴム基体中に分散される拡散用粒子としては、該基体と屈折率の相違するものであればいずれのものでもよく、平均粒径０．５〜１００μｍ程度の金属、金属酸化物、金属窒化物、金属硼化物等の無機微粒子も使用し得るが、特にシリコーン樹脂粒子、シリコーンゴム粒子等の有機樹脂又はゴム微粒子が好ましく、これら微粒子は前記基体１００質量部に対して０．１〜１００質量部の割合で基体中に分散させることが好適である。
【００１４】
前記発光調節部材の形状としては、シート状、帯状、ブロック状など、特に制限されるものではなく、具体的な用途に応じて選定される。
【実施例】
【００１５】
以下、図面を参照して本考案の実施例を説明する。
図１〜４は、ＬＥＤバックライトの例を示すもので、図中１はＬＥＤランプ（ＬＥＤ発光体）であり、図においては複数個のＬＥＤランプ１がこれらＬＥＤランプ１を支持する支持体２上に一例に並んで設けられている。なお、ＬＥＤランプの配置は一列に限られるものではなく、複数列に配置されていてもよい。
【００１６】
１０は本考案の一実施例に係る発光調節部材であり、この図１〜４の発光調節部材はその基体１０ａが四角シート状乃至板状に形成されており、図示していないが基体１０ａの内部に多数の拡散用粒子が分散されている。なお、本実施例及び以下の図面に示す実施例においては、いずれも基体１０ａは上記したように可撓性を有し、透明に形成されているものであるので、この点の説明は省略し、また図示はしないが、基体１０ａ内に多数の拡散用粒子が分散されているものとする。
【００１７】
ここで、図１，２においては、前記ＬＥＤランプ１は図中側方に向けて発光するように支持体２に配置され、この発光に応じて発光調節部材１０の一側面からＬＥＤランプ１の光が入射するように発光調節部材１０が配設され、かつ発光調節部材１０の図中上面から光が放散されるようになっている。そして、図１の発光調節部材１０は、その光が入射する側面をＬＥＤランプ１と当接して又は若干離間して配置した例であり、図２の発光調節部材１０は、その光が入射する側面にＬＥＤランプ１が着脱可能に嵌合する凹陥部２０が設けられ、ＬＥＤランプ１を該凹陥部２０に嵌入して用いるものである。なお、図１，２において、光が入射する一側面以外の側面及び光が放射する上面と反対側の下面に光が透過しないように光の非透過層を形成することができる。
【００１８】
図３，４においては、多数のＬＥＤランプ１が支持体２に複数列に並設配置されたもので、図３の発光調節部材１０は、図中下面がこれらＬＥＤランプ１と当接し又は若干離間して配設されたものであり、図４の発光調節部材１０はその下面にＬＥＤランプ１が着脱可能に嵌合する凹陥部２０が形成され、ＬＥＤランプ１は凹陥部２０に嵌入させて用いるものである。これら図３，４において、ＬＥＤランプ１は図中上方に向けて発光し、発光調節部材１０の下面から入光し、主として上面から光が放散されるものである。なお、この場合も必要に応じ、発光調節部材１０の各側面に光非透過層を形成することができる。
【００１９】
前記ＬＥＤバックライトは、テレビ、パソコンディスプレイ、ゲーム機液晶、デジタルフォトスタンド、カーナビ液晶、携帯電話、ポータブル機（ＤＶＤ、ＢＤ）、時計、電話、ＯＨＰ、切符などのディスプレイ、パソコンキーボード等のバックライトとして使用することができる。
【００２０】
図５は、ＬＥＤライトの一例を示し、ライト本体３の先端面に複数のＬＥＤランプ１が互いに所定の間隔をおいて支持されている。発光調節部材１０の基体１０ａは円形シート状乃至円板状に形成され、発光調節部材１０はＬＥＤランプ１に当接して又は若干離間して配設され、更に発光調節部材１０を覆ってドーム状の透明樹脂板３０が保護部材としてライト本体３の先端外周部に着脱可能に係合している。なお、この場合、透明樹脂板３０を発光調節部材として構成することもできる。
【００２１】
図６〜９はＬＥＤライトの他の例を示し、図６はライト本体３の先端外周部にＬＥＤランプ１を覆ってドーム状の基体１０ａを有する発光調節部材１０を取り付けた例、図７はライト本体３の先端外周部にＬＥＤランプ１を覆って平板状の基体１０ａを有する発光調節部材１０を取り付けた例、図８はライト本体３の先端面に配設されたＬＥＤランプ１と着脱可能に嵌合する凹陥部２０を設けた板状基体１０ａを有する発光調節部材１０の凹陥部２０にＬＥＤランプ１を着脱可能に嵌入するようにした例、図９はライト本体３の先端部に着脱可能に係合するリング状係合突起２１が形成された板状基体１０ａを有する発光調節部材１０をＬＥＤランプ１を覆ってライト本体３に係合した例を示す。
【００２２】
上記ＬＥＤライトは、人感ライト、懐中電灯として、あるいは住宅、ホテル、船等のライトに用いられる。
【００２３】
図１０は、ＬＥＤ集魚灯の一例を示し、４は内部に複数のＬＥＤランプ１を支持する支持体２を収容するフレームで、このフレーム４には前記ＬＥＤランプ１を覆うように、シート状基体１０ａを有する発光調節部材１０が取り付けられ、この発光調節部材１０には、その外面に透明樹脂カバー３１が積層されたものである。
この場合、透明樹脂カバー３１に文字、図柄等を画いて、集魚灯ではなく、看板として使用することもできる。
【００２４】
図１１は、ＬＥＤ光源の態様例を示すもので、（Ａ）は四角板状の支持体２に多数のＬＥＤランプ１が縦横に並列配置した例、（Ｂ）は円板状支持体２の中心部に複数個（図面では４個）のＬＥＤランプ１が互いに等間隔をおいてサークル状に配置され、更にこれらＬＥＤランプ１を取りまいて複数個（図面では８個）のＬＥＤランプ１が互いに等間隔をおいてサークル状に配置された例、（Ｃ）は帯板状支持体２上に複数のＬＥＤランプが互いに等間隔づつ離間して一列に配置された例、（Ｄ）は円柱状支持体２の外周面に軸方向及び周方向に沿って所定間隔をおいて複数のＬＥＤランプが配置され、更に支持体２の先端面にも複数のＬＥＤランプ１が配置された例を示す。そして、図１２はかかるＬＥＤ光源に対応した発光調節部材１０の配設態様を示し、（Ａ）はシート状基体１０ａを有する発光調節部材１０をＬＥＤランプ１を覆って又はこれと若干離間して配設した例を示し、（Ｂ）はシート体に各ＬＥＤランプ１を着脱可能に嵌合し得る凹陥部２０を有するキャップ部２２を設けてなる構成の基体１０ａを有する発光調節部材１０の前記凹陥部２０にＬＥＤランプ１を着脱可能に嵌入するようにした例である。（Ｃ），（Ｄ）は先端面がドーム状に閉塞された円筒状基体１０ａを有する発光調節部材１０の例を示し、図１０（Ｄ）に示した円柱状ＬＥＤ光源に対応し、該円柱状ＬＥＤ光源を被覆する発光調節部材１０として用いられるものである。
【００２５】
図１３は、蛍光灯タイプのＬＥＤ照明灯の一例を示すもので、（Ａ）は支持体２に多数のＬＥＤランプ１を二列に亘って配設した照明灯本体５を示し、（Ｂ）はこの照明灯本体５の各列のＬＥＤランプ１を被覆するように二列の溝状凹部２３，２３が設けられた板状基体１０ａを有する発光調節部材１０を示し、その溝状凹部２３，２３によりそれぞれ各列のＬＥＤランプ１を被覆するように発光調節部材１０を照明灯本体５に取り付けるものである。また、（Ｃ）は上記照明灯本体５のＬＥＤランプ１を被覆する発光調節部材１０の他の例を示し、これは断面円弧状（図（Ｄ））の基体１０ａを有し、この発光調節部材１０を照明灯本体５に取り付けることにより、ＬＥＤランプ１全部を覆うものである。なお、図示していないが、この発光調節部材１０を覆って保護カバーを取り付けることもできる。
【００２６】
図１４は、蛍光灯タイプのＬＥＤ照明灯の他の例を示すもので、（Ａ）は支持体２に多数のＬＥＤランプ１を二列に亘って配設した照明灯本体５を示し、（Ｂ）はこの照明灯本体５の各列のＬＥＤランプ１を着脱可能に嵌合する凹陥部２０が形成された板状基体１０ａを有する発光調節部材１０であり、凹陥部２０にＬＥＤランプ１を嵌入させた状態で発光調節部材１０を照明灯本体５に取り付けるものである。
【００２７】
図１５は、ダウンライトの一例を示し、（Ａ）はライト本体６の先端面に複数のＬＥＤランプ１が配設されたダウンライトであり、（Ｂ）は、このライト本体６の先端外周部に係合するリング状係合突起２１を外周部に形成した円板状基体１０ａを有する発光調節部材１０であり、この発光調節部材１０のリング状係合突起２１をライト本体６の外周部に係合することにより、発光調節部材１０をライト本体６に装着するものである。
【００２８】
図１５（Ｃ），（Ｄ）は、それぞれ円板状基体１０ａにＬＥＤランプ１が着脱可能に嵌合する凹陥部２０を有するキャップ部２２を設けたもので、この場合、（Ｃ）のキャップ部２２が半球ドーム状、（Ｄ）のキャップ部２２が先端面が閉塞された四角筒状に形成されたもので、いずれもライト本体６のＬＥＤランプ１を凹陥部２０に嵌入させて用いるものである。
【００２９】
図１６は、ＬＥＤ看板の例を示し、（Ａ）は支持体２に配置された複数のＬＥＤランプ１に当接又はこれらと若干離間されたシート状基体１０ａを有する発光調節部材１０であり、この基体１０ａには文字、図柄等の看板表示部が形成されて発光調節部材１０が同時に看板体３２として構成された例を示す。
【００３０】
（Ｂ）は、支持体２に配置された複数のＬＥＤランプ１に当接又はこれと若干離間されて配設されたシート状基体１０ａを有する発光調節部材１０の外側に文字や図柄等の表示部が形成された看板シート３３を配設したものである。
【００３１】
（Ｃ）は、（Ｂ）の態様において、シート状基体１０ａに凹陥部２０を有するキャップ部２２を形成してＬＥＤランプ１を凹陥部２０に着脱可能に嵌入するようにしたもの、（Ｄ）は（Ｂ）の態様において、シート状基体１０ａの外周部にリング状係合突起２４を設け、係合突起２４を着脱可能に支持体２に係合するようにしたものである。（Ｅ）は、（Ｂ）〜（Ｄ）の支持体２、発光調節部材１０及び看板シート３３を一体化した状態を示す。
【００３２】
図１７は、屋内大型ＬＥＤ照明の例を示し、（Ａ）は天井に取り付けられる支持体２に多数のＬＥＤランプ１を配設した照明体７を示し、（Ｂ）〜（Ｆ）はそれぞれこの照明体７に取り付けられる発光調節部材１０の例を示す。この場合、（Ｂ），（Ｃ）の例は、シート状乃至板状基体１０ａにＬＥＤランプ１を着脱可能に嵌合する凹陥部２０を有するキャップ部２２を設けたもので、（Ｂ）の場合はキャップ部２２の形状が先端面が閉塞した四角筒状であり、（Ｃ）の場合は円形ドーム状であるが、いずれも凹陥部２０にＬＥＤランプ１を嵌入して用いるものである。（Ｄ）は、シート状乃至板状基体１０ａに上記ＬＥＤランプ１の所定複数個をそれぞれ一列として複数列配設された照明体７の各列をそれぞれ被覆する溝状凹部２５を有する突条部２６を形成したもので、各列のＬＥＤランプ１をそれぞれ溝状凹部２５に挿入被覆して用いるものである。（Ｅ）はシート状乃至板状基体１０ａの外周部に四角枠状の係合突起２７を設け、この係合突起２７を照明体７の外周部に着脱可能に係合して用いるものである。（Ｆ）はシート状乃至板状基体１０ａをそのまま適宜の方法で取り付けて用いるものである。
【００３３】
図１８は、埋設型の屋内又は屋外ＬＥＤ照明灯の例を示すもので、３４は床又は地面であり、この床又は地面３４に形成された凹所３５内に配設された支持体２に支持されたＬＥＤランプ１の上方にシート状乃至板状基体１０ａを有する発光調節部材１０を配設し、更にその上に透明保護カバー３６を積層してなるものである。この場合、（Ｃ）に示すように、基体１０ａの外周部にリング状係合突起２８を設け、この係合突起２８により透明保護カバー３６を係合した状態において配設することができる。
【００３４】
図１９は、ＬＥＤ警告灯の例を示し、（Ａ）は警告灯本体３７の円形リング状端面３８に複数のＬＥＤランプ１を互いに等間隔離間して周方向に沿って配設した例を示し、（Ｂ），（Ｃ）はそれぞれＬＥＤランプ１に嵌合する凹陥部２０を有するキャップ部２２が設けられ、更に外周部に上記警告灯本体３７の円形リング状端面３８の外周部に係合するリング状係合突起２９が設けられた基体１０ａを有する発光調節部材１０の例を示し、（Ｂ）はキャップ部２２が先端面が閉塞した四角筒状に形成され、（Ｃ）は円形ドーム状に形成されたものである。また、（Ｄ），（Ｅ）はそれぞれ個々のＬＥＤランプ１に着脱可能に嵌合する凹陥部２０を有するキャップ部２２を１個だけ形成された基体１０ａを有する発光調節部材１０を示し、（Ｄ）はキャップ部２２が先端面が閉塞する四角筒状に形成され、（Ｅ）はキャップ部２２が円形ドーム状に形成されたものである。
【００３５】
図２０は、ＬＥＤ懐中電灯の例を示し、３９は電灯本体で、その先端に透明外装カバー４０が取り付けられており、その外装カバー４０の内側にＬＥＤランプ１が設けられ、ＬＥＤランプ１と外装カバー４０との間に発光調節部材１０が介装されている。この場合、発光調節部材１０は（Ｂ），（Ｃ）に示すように、それぞれＬＥＤランプ１に着脱可能に嵌合する凹陥部２０を有するキャップ部２２が形成された基体１０ａを有するもので、（Ｂ）はそのキャップ部２２が先端面が閉塞された四角筒状に形成され、（Ｃ）はキャップ部２２が円形ドーム状に形成されたものである。
【００３６】
また、（Ｄ），（Ｅ）は、断面コの字状の外装カバー４０に着脱可能に係合される発光調節部材１０であり、この場合、（Ｄ）は同様に断面コの字状の基体１０ａを有し、（Ｅ）は円板状の基体１０ａを有するように形成されているものである。
【００３７】
図２１は、横断歩道信号４１の例を示し、信号４１内に支持体２に多数のＬＥＤランプ１が支持された照明体４２が配設され、この照明体４２のＬＥＤランプ１を覆って発光調節部材１０が配設されるものである。
【００３８】
この場合、（Ｃ）は発光調節部材１０の基体１０ａがシート状の例、（Ｄ）は外周部に照明体４２外周部に係合するリング状係合突起２９が設けられた例、（Ｅ）は基体１０ａが各列のＬＥＤランプ１群を被覆する溝状凹部２５を有する突条部２６を形成した例、（Ｆ）はキャップ部２２が円形ドーム状である多数のキャップ部２２を設けた例、（Ｇ）はキャップ部２２が先端面が閉塞した四角筒状のキャップ部を多数設けた例を示す。
【００３９】
以上はＬＥＤ発光体（ＬＥＤランプ）について説明したが、ＬＥＤ発光体の代りにＥＬ発光体を用いることもでき、例えば、図２２に示したように、ＥＬシート（ＥＬ照明体）８上にシート状基体１０ａを有する発光調節部材１０を積層するなど、ＥＬ発光体としてその用途に応じ種々の形態を採用し得ると共に、ＥＬ発光体の形態に応じて発光調節部材の態様を選定することができる。
【００４０】
本考案の発光調節部材は、上記した用途に加え、フォトスタンド、電話、プッシュボタン、スイッチ、道路点滅灯、自転車安全灯、鏡用照明、水槽照明灯（水槽ライト、水中用ライト）、誘導灯、夜間服、合図灯（信号灯）、自動車のメーターバックライト、街路灯、トラック等のサイドマーカー、タクシー等の社名表示灯やドアライト、飛行機やヘリポートの滑走路航空灯火、トンネル照明灯、救急車やパトカー等の警光灯、植物栽培照明、ランタン、ヘッドライト、交通整理誘導灯、三角灯、現場保安灯、競技場ナイター照明灯、航空障害灯、電気ウキ、チューブライト、キャンドルライト、灯台照明灯、自動販売機等の押し釦用ＬＥＤ灯、スポットライト、街灯、高速道路用照明灯、舞台及びスタジオ用照明、医療用ライト、手術台ライト、非常口灯、ＬＥＤ警告回転灯、ポール型警告灯、パソコン関連機器（オン・オフランプ）等に対しても有効に用いられる。
【符号の説明】
【００４１】
１  ＬＥＤランプ
２  支持体
３  ライト本体
４  フレーム
５  照明灯本体
６  ライト本体
７  照明体
８  ＥＬシート
１０  発光調節部材
１０ａ  基体
２０  凹陥部
２１  リング状係合突起
２２  キャップ部
２３  溝状凹部
２４  リング状係合突起
２５  溝状凹部
２６  突条部
２７  係合突起
２８  リング状係合突起
２９  リング状係合突起
３０  透明樹脂板
３１  透明樹脂カバー
３２  看板体
３３  看板シート
３４  床又は地面
３５  凹所
３６  透明保護カバー
３７  警告灯本体
３８  円形リング状端面
３９  電灯本体
４０  外装カバー
４１  横断歩道信号
４２  照明体
【図１】
0003164629.tif 000003
【図２】
0003164629.tif 000004
【図３】
0003164629.tif 000005
【図４】
0003164629.tif 000006
【図５】
0003164629.tif 000007
【図６】
0003164629.tif 000008
【図７】
0003164629.tif 000009
【図８】
0003164629.tif 000010
【図９】
0003164629.tif 000011
【図１０】
0003164629.tif 000012
【図１１】
0003164629.tif 000013
【図１２】
0003164629.tif 000014
【図１３】
0003164629.tif 000015
【図１４】
0003164629.tif 000016
【図１５】
0003164629.tif 000017
【図１６】
0003164629.tif 000018
【図１７】
0003164629.tif 000019
【図１８】
0003164629.tif 000020
【図１９】
0003164629.tif 000021
【図２０】
0003164629.tif 000022
【図２１】
0003164629.tif 000023
【図２２】
0003164629.tif 000024